(57)【要約】【課題】  単に非会員と会員を認識可能に表示するだけではなく、不正を行なった可能性の高い遊技者の有用な情報を効率的に記録しておくことのできる遊技用システムを提供する。【解決手段】  非会員の遊技者が連続して複数の遊技機で遊技している非会員遊技機群が発生し、この非会員遊技機群の何れかの遊技機において不正が行われた可能性が高いとその遊技機の遊技情報から判定された場合には、この非会員遊技機群の各遊技機に対応した遊技者を球貸ユニット３１のＣＣＤカメラ４７により撮影し、またこの非会員遊技機群の遊技情報を収集し、この画像と遊技情報から前記各遊技者について不正嫌疑者ファイルを作成する管理装置２４を設ける。【選択図】  図１
2006141476.tif 000002
【特許請求の範囲】
【請求項１】
遊技に関連して発生した遊技情報を外部に出力可能な遊技情報出力手段を備える遊技機に対応して設けられ、遊技に関する遊技関連情報を表示モニタに表示するための表示手段と、遊技中の遊技者を撮影するための撮影手段と、会員の遊技者を個々に特定可能な会員識別情報を読み取り可能な読取手段と、該読取手段により読み取った会員情報を外部に出力可能な会員情報出力手段と、を少なくとも備える遊技用装置と、
遊技者が遊技機で遊技しているかどうかを判定する遊技判定手段と、前記遊技機の遊技情報出力手段から出力された遊技情報及び前記遊技用装置の会員情報出力手段から出力された会員情報を収集するための情報収集手段と、を備え、前記遊技情報の管理を行う管理装置と、
を備えた遊技用システムであって、
前記管理装置は、
前記遊技判定手段により、遊技者が遊技機で遊技していると判定されているにも拘わらず、前記情報収集手段により、前記遊技機に対応した前記遊技用装置からの会員情報が収集できない非会員遊技機が複数連続して非会員遊技機群を形成していることを検出する非会員連続状態検出手段と、
前記非会員連続状態検出手段の検出結果に基づき、前記非会員遊技機群の各遊技機に対応した遊技情報を前記情報収集手段により収集する連続非会員情報収集手段と、
前記非会員連続状態検出手段の検出結果に基づき、前記非会員遊技機群の各遊技機に対応した遊技者を前記撮影手段により撮影する連続非会員撮影手段と、
前記連続非会員撮影手段により撮影された画像及び前記連続非会員情報収集手段により収集された遊技情報から不正嫌疑者ファイルを作成する不正嫌疑者ファイル作成手段と、
を備えることを特徴とする遊技用システム。
【請求項２】
前記不正嫌疑者ファイル作成手段は、
前記連続非会員情報収集手段により収集された遊技情報に基づき、不正行為が行われた可能性があると判断された場合に、前記不正嫌疑者ファイルを作成することを特徴とする請求項１に記載の遊技用システム。
【請求項３】
前記管理装置は、
前記遊技用装置にメッセージを送信するメッセージ送信手段を備え、
前記遊技用装置は、
前記メッセージが着信したことを前記表示モニタにより遊技者に報知するメッセージ着信報知手段と、
遊技者が触れることによって、メッセージを開封するか否かを遊技者に選択させる選択手段と、を備え、
前記選択手段の近傍に前記撮影手段を配置し、
前記連続非会員撮影手段は、
遊技者が前記選択手段に触れたことをきっかけとして、前記撮影手段により遊技者の姿を撮影することを特徴とする請求項１又は２記載の遊技用システム。
【請求項４】
前記不正嫌疑者ファイル作成手段は、
前記非会員連続状態検出手段により検出された非会員遊技機群の遊技機にそれぞれ対応した遊技者の不正嫌疑者ファイルをグルーピングする不正嫌疑者ファイルグルーピング手段を備えることを特徴とする請求項１乃至３の何れかに記載の遊技用システム。
【請求項５】
前記遊技店内の各遊技機周辺の状況を監視する店内監視カメラと、遊技店外の周辺の状況を監視する店外監視カメラと、を備え、
前記管理装置は、
前記連続非会員情報収集手段により収集された遊技情報に基づき、不正行為が行われた可能性があると判断された遊技機がある場合に、前記店内監視カメラ又は前記撮影手段を駆動して当該遊技機周辺を撮影し、該撮影範囲内の撮影対象人物を特定する撮影対象人物特定手段と、
前記撮影対象人物特定手段により特定された遊技者が移動した場合に、前記店内監視カメラ及び店外監視カメラを駆動することにより当該撮影対象人物を追尾する撮影対象人物追尾手段と、
前記追尾手段により追尾された遊技者の自動車のナンバープレートを前記店外監視カメラにより撮影するナンバープレート撮影手段と、を備え、
前記不正嫌疑者ファイル作成手段は、
前記ナンバープレート撮影手段の撮影結果に基づき、前記不正嫌疑者ファイルに自動車のナンバーに関する情報を追加可能であることを特徴とする請求項１乃至４の何れかに記載の遊技用システム。
【請求項６】
前記遊技用装置は、
各遊技機毎に音声により店内サービス等を注文可能なマイクを備え、
前記不正嫌疑者ファイル作成手段は、
前記マイクにより集音した音データを不正遊技者に関連づけて前記不正嫌疑者ファイルに追加可能であることを特徴とする請求項１乃至５の何れかに記載の遊技用システム。
【発明の詳細な説明】
【技術分野】
【０００１】
本発明は、会員制度を導入した遊技場において、不正行為をする可能性の高い非会員の情報を記録する遊技用システムに関する。
【背景技術】
【０００２】
従来から、遊技場では会員制度を導入し、会員を他の遊技者より優遇することで（例えば、優良遊技機の情報提供等で優遇）固定客を増加させ、集客率を向上させることが行われている。優良遊技機とは、具体的にはパチンコ機では入賞口に入りやすいように、釘の調整がしてある遊技機のことであり、パチスロ機ではビックボーナス等が発生する確率が高く設定してある遊技機のことである。
また、従来より、遊技場では、悪意のある遊技者により不正な遊技が行われることがしばしばある。悪意のある遊技者は、遊技場内の特定の遊技機の制御基板を、不正な遊技を行うための制御基板（以下、不正基板と記載する）と交換し、当該不正基板が取り付けられた遊技機で遊技することで、不正に遊技媒体等を獲得している場合もある。さらに、上記のように正常の制御基板から不正基板にすり替える際には、複数人で当該特定の遊技機を取り囲むようにしてすり替える場合がある。
【０００３】
また、ほとんどの悪意のある遊技者は、遊技履歴に自己に関する情報が記録されることを避けるために、会員カード等を利用しない。このため、通常は、身元の判明が不可能な（例えば、会員カード等を用いずに遊技する）一般遊技者（非会員）の遊技履歴の中に、当該悪意のある遊技者の遊技履歴が含まれていることが多い。
さらに、会員カード等を利用して、自己の身元を明確にして遊技する遊技者は、故意に不正を行うことは稀である。このため、身元の判明が可能な会員の遊技履歴の中には、故意に不正を行った遊技履歴は含まれることはほとんどないと考えられる。
【０００４】
そこで、会員と非会員の遊技履歴を別々に集計し、２つの情報を識別可能に表示する遊技場における情報管理装置が考えられている。
このような従来の情報管理装置としては、例えば以下の特許文献１に開示のものがある。
また、不正遊技者を自動追尾する技術が、特許文献２に記載されている。
【０００５】
【特許文献１】特開２００４−４９７４６号公報
【特許文献２】特開２００２−２３９１８０号公報
【発明の開示】
【発明が解決しようとする課題】
【０００６】
しかしながら、上記従来の情報管理装置にあっては、非会員であると言うだけでは、その数が多すぎて、不正の発生しそうな遊技機や遊技者を遊技場で限定できず、不正防止に関する効果が少ないという問題点があった。また、単に監視するだけでは、不正の再発を防げないという問題があった。
例えば、不正を行なった可能性の高い遊技者を、効果的に特定して、その有用な情報を効率的に記録しておき、次回来店時に入店をお断りする、或いは次回来店時に格別の監視をして再発を未然防止するといったことが困難であった。
【０００７】
そこで本発明は、ただ単に、非会員と会員を認識可能に表示するだけではなく、更に、不正を行なった可能性の高い遊技者の有用な情報を効率的に記録しておくことのできる遊技用システムを提供することを目的としている。
【課題を解決するための手段】
【０００８】
上記目的を達成するため、請求項１記載の発明は、遊技に関連して発生した遊技情報を外部に出力可能な遊技情報出力手段を備える遊技機に対応して設けられ、遊技に関する遊技関連情報を表示モニタに表示するための表示手段と、遊技中の遊技者を撮影するための撮影手段と、会員の遊技者を個々に特定可能な会員識別情報を読み取り可能な読取手段と、該読取手段により読み取った会員情報を外部に出力可能な会員情報出力手段と、を少なくとも備える遊技用装置と、
遊技者が遊技機で遊技しているかどうかを判定する遊技判定手段と、前記遊技機の遊技情報出力手段から出力された遊技情報及び前記遊技用装置の会員情報出力手段から出力された会員情報を収集するための情報収集手段と、を備え、前記遊技情報の管理を行う管理装置と、
を備えた遊技用システムであって、
前記管理装置は、
前記遊技判定手段により、遊技者が遊技機で遊技していると判定されているにも拘わらず、前記情報収集手段により、前記遊技機に対応した前記遊技用装置からの会員情報が収集できない非会員遊技機が複数連続して非会員遊技機群を形成していることを検出する非会員連続状態検出手段と、
前記非会員連続状態検出手段の検出結果に基づき、前記非会員遊技機群の各遊技機に対応した遊技情報を前記情報収集手段により収集する連続非会員情報収集手段と、
前記非会員連続状態検出手段の検出結果に基づき、前記非会員遊技機群の各遊技機に対応した遊技者を前記撮影手段により撮影する連続非会員撮影手段と、
前記連続非会員撮影手段により撮影された画像及び前記連続非会員情報収集手段により収集された遊技情報から不正嫌疑者ファイルを作成する不正嫌疑者ファイル作成手段と、
を備えることを特徴とする。
【０００９】
請求項１に従属する請求項２記載の発明は、前記不正嫌疑者ファイル作成手段は、
前記連続非会員情報収集手段により収集された遊技情報に基づき、不正行為が行われた可能性があると判断された場合に、前記不正嫌疑者ファイルを作成することを特徴とする。
請求項１又は２に従属する請求項３記載の発明は、前記管理装置は、
前記遊技用装置にメッセージを送信するメッセージ送信手段を備え、
前記遊技用装置は、
前記メッセージが着信したことを前記表示モニタにより遊技者に報知するメッセージ着信報知手段と、
遊技者が触れることによって、メッセージを開封するか否かを遊技者に選択させる選択手段と、を備え、
前記選択手段の近傍に前記撮影手段を配置し、
前記連続非会員撮影手段は、
遊技者が前記選択手段に触れたことをきっかけとして、前記撮影手段により遊技者の姿を撮影することを特徴とする。
請求項１乃至３の何れかに従属する請求項４記載の発明は、前記不正嫌疑者ファイル作成手段は、
前記非会員連続状態検出手段により検出された非会員遊技機群の遊技機にそれぞれ対応した遊技者の不正嫌疑者ファイルをグルーピングする不正嫌疑者ファイルグルーピング手段を備えることを特徴とする。
【００１０】
請求項１乃至４の何れかに従属する請求項５記載の発明は、前記遊技店内の各遊技機周辺の状況を監視する店内監視カメラと、遊技店外の周辺の状況を監視する店外監視カメラと、を備え、
前記管理装置は、
前記連続非会員情報収集手段により収集された遊技情報に基づき、不正行為が行われた可能性があると判断された遊技機がある場合に、前記店内監視カメラ又は前記撮影手段を駆動して当該遊技機周辺を撮影し、該撮影範囲内の撮影対象人物を特定する撮影対象人物特定手段と、
前記撮影対象人物特定手段により特定された遊技者が移動した場合に、前記店内監視カメラ及び店外監視カメラを駆動することにより当該撮影対象人物を追尾する撮影対象人物追尾手段と、
前記追尾手段により追尾された遊技者の自動車のナンバープレートを前記店外監視カメラにより撮影するナンバープレート撮影手段と、を備え、
前記不正嫌疑者ファイル作成手段は、
前記ナンバープレート撮影手段の撮影結果に基づき、前記不正嫌疑者ファイルに自動車のナンバーに関する情報を追加可能であることを特徴とする。
請求項１乃至５の何れかに従属する請求項６記載の発明は、前記遊技用装置は、
各遊技機毎に音声により店内サービス等を注文可能なマイクを備え、
前記不正嫌疑者ファイル作成手段は、
前記マイクにより集音した音データを不正遊技者に関連づけて前記不正嫌疑者ファイルに追加可能であることを特徴とする。
【発明の効果】
【００１１】
本発明によれば、非会員による遊技が複数連続して発生している非会員遊技機群の各遊技機に対応した遊技者が撮影手段により撮影され、またこの非会員遊技機群の遊技情報が収集され、この画像と遊技情報から不正嫌疑者ファイルが作成される。
このため、不正を行なった可能性の高い遊技者を、効果的に特定して、その有用な情報を上記不正嫌疑者ファイルとして効率的に記録しておき、次回来店時に入店をお断りする、或いは次回来店時に格別の監視をして不正の再発を未然防止するといったことが可能となる。さらに、他の遊技店と不審な遊技者に関する情報交換の際にも、上記不正嫌疑者ファイルを利用することができて便利である。
【００１２】
また、各請求項は、以下のような特有の効果を有する。
請求項２記載の発明によれば、非会員遊技機群の各遊技機から収集された遊技情報に基づき、不正行為が行われた可能性があると判断された場合に、前記不正嫌疑者ファイルが作成されるため、不正嫌疑者ファイルに登録された者が不正を行った可能性が高まり、不正嫌疑者ファイルの信頼性が高まる。
請求項３記載の発明によれば、非会員遊技機群の各遊技機に対応した遊技者の撮影を、遊技者の正面から遊技者の顔を含んで行うことが高い可能性でできるようになる。このため、不正嫌疑者ファイルの画像データが、より有意義なものになる。
請求項４記載の発明によれば、非会員遊技機群を構成していた複数の遊技者についての不正嫌疑者ファイルがグルーピングされるため、そのグルーピングの情報から、再来店した不正嫌疑者を見つけ易くなる。一人だけの特徴であると、似ている人がいた場合に分かり難いが、グルーピングされた複数の不正嫌疑者のうちの少なくとも一人を見つけることは比較的容易であり、さらにその一人からグルーピングされた仲間の不正嫌疑者も来店していると推定して、残りの不正嫌疑者を発見することが容易になるからである。
【００１３】
請求項５記載の発明によれば、不正嫌疑者の自動車のナンバープレートの情報が、不正嫌疑者ファイルのデータとして、他の情報とともに登録される。このため、警察への通報等が行い易くなるとともに、不正嫌疑者が店外に自動車で逃走しても追尾し易くなる。また、再来店時に、自動車で駐車場に入場した時点から警戒することができるようになる。
請求項６記載の発明によれば、不正嫌疑者の音声も他の情報とともに不正嫌疑者ファイルのデータとして登録できる可能性が高まる。このため、例えば、この音声情報を利用して再来店した人物が同一人物であるか否かを信頼性高く判定することができる可能性が得られる。
【発明を実施するための最良の形態】
【００１４】
以下、本発明の実施の形態を、図面に基づいて説明する。
Ａ．遊技用システムの構成
Ａ１．全体構成
図１は、本発明を遊技店に適用した場合の遊技用システムの実施の形態例の構成図である。
図１において、遊技店には複数の島（遊技機設置島のこと、以下、単に島という）毎に多数の遊技機が設置されている。例えば、島１には、多数の遊技機２ａ、２ｂ、…………、２ｎ（図示略）が設置され、島３には、多数の遊技機４ａ、４ｂ、…………、４ｎ（図示略）が設置されている。なお、その他にも複数の島があるが、図示は略している。
なお、遊技機としては、パチンコ遊技機の他に、例えばアレンジボール機、雀球機、メダルを用いたスロットマシン（回胴式スロット遊技機）、球を用いたスロットマシン（回胴式スロット遊技機）等を混ぜて、あるいは単独で設置してもよい。
平均的な遊技店（遊技場）においては遊技機を３００台程度配置し、大型店ともなると、１０００台程度の遊技機を配置し、島を適宜配置することになる。ただし、本実施の形態では、説明の都合上、その中の一部の島を設置した場合についてシステムの構成を説明することにしてある。
【００１５】
各遊技機２ａ、２ｂ、…………、２ｎ及び４ａ、４ｂ、…………、４ｎは、何れも球貸ユニット３１（いわゆるサンド：台間球貸機）を台毎に設置した構成になっており、球貸ユニット３１の詳細は図４で後述する。なお、図１では煩雑になるため、球貸ユニット３１のみ符号を付しているが、その他の球貸ユニットも図４に示すように同様の構成である。
球貸ユニット３１は、会員カード（会員用記録媒体）を受付けて、少なくとも会員カードに記録されている会員識別情報の読み取りを行って外部に出力可能するもので、遊技用装置に相当する（詳細は後述する）。
遊技場店内には複数の店内監視カメラ５ａ〜５ｉ（ここでは９台）が配置（図３参照）されており、図１ではそのうちの２台（店内監視カメラ５ａ、５ｂ）のみを示している。
また、遊技場店外には複数の店外監視カメラ（出入り口監視第１カメラ２５、出入り口監視第２カメラ２６、駐車場監視カメラ２７）が配置（図２参照）されている。
なお場合により、説明の都合上、符号５又は５ａ、５ｂによって店内監視カメラを代表する。
【００１６】
店内監視カメラ５ａ、５ｂは、遊技店内の各遊技機周辺の状況を監視するもので、例えば監視カメラ５ａは原則的に島１の多数の遊技機２ａ、２ｂ、…………、２ｎを監視し、監視カメラ５ｂは島３の多数の遊技機遊技機４ａ、４ｂ、…………、４ｎを監視するような配置になっている。そして、各店内監視カメラ５ａ、５ｂは非会員遊技機群の全体を撮影可能であるとともに、非会員遊技機群が検出された場合は非会員遊技機群の会員を監視するよう制御されるようになっている。
各遊技機２ａ、２ｂ、…………、２ｎ及び４ａ、４ｂ、…………、４ｎは、店内のケーブル６によって営業管理装置１１及び会員管理装置１２に接続されている。また、店内監視カメラ５ａ、５ｂは店内のケーブル７によって監視カメラ制御装置１３に接続されており、このケーブル７を介して店内監視カメラ５ａ、５ｂの制御が行われるとともに、店内監視カメラ５ａ、５ｂの撮影画像が監視カメラ制御装置１３に送信されるようになっている。なお、出入り口監視第１カメラ２５、出入り口監視第２カメラ２６、及び駐車場監視カメラ２７も同様に、監視カメラ制御装置１３に接続されており、これらカメラの撮影画像が監視カメラ制御装置１３に送信されるようになっている。また各カメラには、必要に応じて、撮影方向（光軸方向）を変化させる機構が設けられ、この機構を監視カメラ制御装置１３が制御可能となっている。
【００１７】
営業管理装置１１は、例えば経営分析装置とか営業用のホールコンピュータなど称されるもので、各遊技機および遊技関連設備（例えば、球貸ユニット、カード発行機等）よりの情報を収集し演算処理するものである。
また、本来の営業管理のために、例えば売り上げ情報、遊技機の稼働情報等の膨大な営業情報を得ている。また、近時は遊技場が収集する遊技情報が多くなるとともに、情報が複雑化しており、そのため、営業管理装置１１とは別に会員管理装置１２が設けられている。
【００１８】
会員管理装置１２は、遊技店の会員についての管理を行うとともに、特に遊技者が会員か非会員かを判定する処理等を行うもので、会員登録装置２１、監視カメラ制御装置１３、営業管理装置１１に接続され、相互に信号やデータの伝送が可能になっている。
会員登録装置２１は遊技店において通用する会員を募って、それをカード形式で登録するための装置である。例えば、遊技店が会員用記録媒体としての会員カードを発行し、その会員カードによって会員の登録を行うものであり、会員カードによる会員の登録状況等は会員管理装置１２に伝達される。
なお、会員カードには、遊技者を会員として登録する場合に、その遊技者を個々に特定可能な会員識別情報が記録されている。
【００１９】
監視カメラ制御装置１３は、店内監視カメラ５ａ、５ｂ及び店外監視カメラ２５等の制御や監視モニタ２３の制御を行うもので、非会員の遊技者が複数連続して島で遊技を行って非会員遊技機群を形成しているという判定がなされた場合に、店内監視カメラ５ａ、５ｂを非会員遊技機群の遊技機周辺を監視するように制御したり、その監視画像を記憶したり、非会員遊技機群の不正を行なった可能性のある遊技者を店内監視カメラ５ａ、５ｂ及び店外監視カメラ２５等により追尾して監視したり、その遊技者が乗り込んだ車のナンバープレートを撮影したり、更には、店内監視カメラ５ａ、５ｂ及び店外監視カメラ２５等により撮影された映像を表示する監視モニタ２３の表示制御に関する処理を行うものである。監視モニタ２３は、例えばＣＲＴあるいは液晶装置からなり、ホールとは別の部屋に設置され、例えばホールの所定の係員が監視するためのものである。また、監視モニタ２３は、複数の画面を備えており、各画面に各店内監視カメラ５ａ〜５ｉ及び店外監視カメラ２５〜２７からの映像を映し出すようになっているとともに、緊急の場合には各画面に１つの緊迫映像を映し出すことも可能になっている。
【００２０】
上記営業管理装置１１、会員管理装置１２及び監視カメラ制御装置１３は全体として、管理装置２４を構成し、管理装置２４は遊技判定手段、情報収集手段、非会員連続状態検出手段、連続非会員情報収集手段、連続非会員撮影手段、不正嫌疑者ファイル作成手段、メッセージ送信手段、撮影対象人物特定手段、撮影対象人物追尾手段、ナンバープレート撮影手段の機能を実現する。
ここで各手段は、どの装置で実現されるかというと、以下のようになっている。
遊技判定手段、情報収集手段、非会員連続状態検出手段、連続非会員情報収集手段、不正嫌疑者ファイル作成手段、及びメッセージ送信手段は、例えば会員管理装置１２により実現され、連続非会員撮影手段、撮影対象人物特定手段、撮影対象人物追尾手段、及びナンバープレート撮影手段は、例えば会員管理装置１２と監視カメラ制御装置２２により実現されている。但し、このような態様に限られない。例えば、営業管理装置１１が、遊技判定手段、情報収集手段、連続非会員情報収集手段、を実現し、会員管理装置１２が、非会員連続状態検出手段、不正嫌疑者ファイル作成手段、メッセージ送信手段、を実現し、監視カメラ制御装置２２が、連続非会員撮影手段、撮影対象人物特定手段、撮影対象人物追尾手段、ナンバープレート撮影手段、を実現する態様でもよい。
各手段は、次のような機能を含む。
遊技判定手段は、遊技者が遊技機２で遊技しているかどうかを判定する。
ここでの遊技判定とは、遊技者が遊技機２で遊技を行っているかあるいは行っていないことを判断するもので、その基準は以下の通りである。
（ａ）遊技機設置島は、遊技機２から遊技機設置島に排出されるアウト球（遊技領域で入賞又は非入賞となって排出される排出球）を検出するアウト球検出手段（後述のアウト球検出装置５８）を備え、そのアウト球検出手段からの打ち込み信号の有無に基づいて判断する。
（ｂ）遊技機２は、遊技盤８２の遊技領域に発射した球を検出する発射球検出手段を備え、その発射球検出手段からの発射球検出信号の有無に基づいて判断する。なお、発射球検出信号は発射球検出手段から遊技機２の枠用外部出力基板（図示略）を介して球貸ユニット３１を経て会員管理装置１１へと出力される。
（Ｃ）遊技機２は、遊技者が発射ハンドルに触れて操作していることを検出する発射操作検出手段を備え、その発射操作検出手段からの発射操作検出信号の有無に基づいて判断する。発射操作検出信号は発射操作検出手段から遊技機２の枠用外部出力基板を介して球貸ユニット３１を経て会員管理装置１１へと出力される。
【００２１】
情報収集手段は、遊技機２の遊技情報出力手段から出力された遊技情報及び遊技用装置の会員情報出力手段から出力された会員情報を収集する。
非会員連続状態検出手段は、遊技判定手段により、遊技者が遊技機２で遊技していると判定されているにも拘わらず、情報収集手段により、遊技機２に対応した遊技用装置からの会員情報が収集できない非会員遊技機が、複数連続して非会員遊技機群を形成していることを検出する。
連続非会員情報収集手段は、非会員連続状態検出手段の検出結果に基づき、非会員遊技機群の各遊技機に対応した遊技情報を情報収集手段により収集する。
連続非会員撮影手段は、非会員連続状態検出手段の検出結果に基づき、非会員遊技機群の各遊技機に対応した遊技者をＣＣＤカメラ４７や店内監視カメラ５ａ〜５ｉ或いは店外内監視カメラ２５等（撮影手段）により撮影する。
【００２２】
不正嫌疑者ファイル作成手段は、連続非会員情報収集手段により収集された遊技情報に基づき、不正行為が行われた可能性があると判断された場合（例えば、大当たりが０回であるにもかかわらず差球４０００個と検出された場合、確率変動状態でもないのに１時間に大当たりが７回発生した場合、ガラス枠８３或いは前面枠８１が開放されたことが検出された場合等）に、前記連続非会員撮影手段により撮影された画像及び前記連続非会員情報収集手段により収集された遊技情報から不正嫌疑者ファイルを作成する。
なお、不正嫌疑者ファイルについては、後述する。
【００２３】
メッセージ送信手段は、遊技用装置にメッセージを送信する。
撮影対象人物特定手段は、連続非会員情報収集手段により収集された遊技情報に基づき、不正行為が行われた可能性があると判断された場合に、ＣＣＤカメラ４７又は店内監視カメラ５ａ〜５ｉを駆動して撮影し、該撮影範囲内の撮影対象人物を特定する。
撮影対象人物追尾手段は、撮影対象人物特定手段により特定された遊技者が移動した場合、店内監視カメラ５ａ〜５ｉ或いは店外監視カメラ２５等を駆動することにより当該撮影対象人物を追尾する。
ナンバープレート撮影手段は、撮影対象人物追尾手段により追尾された遊技者の自動車のナンバープレートを店外監視カメラ２５等により撮影する。
【００２４】
Ａ２．店外構成
次に図２は、店外構成を示す図である。
図２に示すように、遊技場店外には複数の店外監視カメラ（出入り口監視第１カメラ２５、出入り口監視第２カメラ２６、駐車場監視カメラ２７）が配置されている。駐車場監視カメラ２７は、駐車場３０１内を撮影するカメラであり、例えば３６０度向きを変えられるようになっている。また、出入り口監視第１カメラ２５は、一方の駐車場出入り口３０２を、出入り口監視第２カメラ２６は、他方の駐車場出入り口３０３を監視するカメラである。
【００２５】
Ａ３．店内構成
次に図３は、店内構成を示す図であり、遊技店２００における各機器の全体的な配置を示す図である。図３において、遊技店２００には３つの島が配置され、そのうち例えば島１には前述したように多数の遊技機２ａ、２ｂ、…………が設置され、島３にも多数の遊技機４ａ、４ｂ、…………が設置されている。その他の島も同様であるが、煩雑になるため符号は付していない。
【００２６】
各島の周囲には前述した複数の監視カメラ５ａ〜５ｉ（ここでは９台）が配置されており、図３ではその全ての配置を示している。なお監視カメラ５ｉは、通常状態では、景品カウンタ２０３の方に向けられ、景品の交換の様子を含めて監視するようになっている。また、監視カメラ５ｈは、通常状態では、他の監視カメラ５ａ〜５ｇと同様に、各島の遊技機付近を撮影する方向に向けられている。但し場合によっては、監視カメラ５ｉは遊技店２００の出入り口２０１に向けられ、監視カメラ５ｈは遊技店２００の出入り口２０２に向けられる。
遊技店２００には３つの両替機２０４〜２０６及び３つのジェットカウンタ２０７〜２０９が設けられている。両替機２０４〜２０６は１万円、５千円、千円の各紙幣を硬貨（５００円硬貨、１００円硬貨）に両替したり、あるいは高額紙幣を千円札に両替したりする。ジェットカウンタ２０７〜２０９はパチンコ球やコインあるいはメダルを計数して回収する装置である。
【００２７】
Ａ４．球貸ユニット（遊技用装置）
次に図４（ａ），（ｂ）は、球貸ユニット３１の構成を示す図である。図５は、後述の表示モニタ３４を示す図である。
図４（ａ）は、球貸ユニット３１の外観（特に、正面）図であり、球貸ユニット３１は縦に細長い形状に形成され、硬貨投入口３２、硬貨返却ボタン３３、表示モニタ３４、硬貨返却口３５、球誘導樋部材３６、会員カード挿入口３７、報知ランプ３８を有している。ここで、表示モニタ３４や報知ランプ３８は、本発明のメッセージ着信報知手段を構成する。報知ランプ３８は、管理装置からメッセージが届くと点滅し、メッセージが到着したことを遊技者に知らせる。
【００２８】
硬貨投入口３２は１００円及び５００円の硬貨を受け入れ可能なもので、硬貨返却ボタン３３は投入した硬貨の返却を要求するためのものである。表示モニタ３４は遊技に関する遊技関連情報等を表示するためのもので、球貸ユニット３１の本体に対してヒンジ結合で連結され、遊技者の手前側に自在に向きを変えることができる構造になっている。表示モニタ３４は、遊技に関する遊技関連情報を表示するための本発明の表示手段を構成する。図４（ａ）は表示モニタ３４を初期位置に戻した状態を示している。
表示モニタ３４は、図５に示すように、画面を有する小型の液晶表示装置４１を備えており、この画面に遊技に関連する各種の遊技関連情報を表示する。液晶表示装置４１の画面上にはタッチパネル４２が設けられており、タッチパネル４２を操作することで、画面上の各種情報の入力エリアに対してユーザがタッチ入力できるようになっている。
【００２９】
液晶表示装置４１の下方側には画面の情報を４方向にスクロール可能なスクロールスイッチ４３、画面のメニューを選択するメニュースイッチ４４、データ（例えば、大当り回数、出玉数、差玉数、前日のデータ、隣の台のデータなど）を要求するデータスイッチ４５、再プレイスイッチ４６が配置されている。再プレイスイッチ４６は会員が遊技店に対して貯玉をしている場合に、それを払い出すときに操作するもので、例えば１回の操作で１２５個（５００円分の球貸し分に相当）の貯玉を払い出すようになっている。なお、貯玉を払い出す際には、画面上にテンキーを表示し、テンキーに会員の暗証番号などを入力してセキュリティを確保する。
また、液晶表示装置４１の上方にはＣＣＤカメラ４７（撮影手段）が設けられ、液晶表示装置４１の左側にはマイクスイッチ４８とマイク４９が設けられている。ＣＣＤカメラ４７は、遊技中の遊技者を撮影するための撮影手段に相当する。このＣＣＤカメラ４７には、必要に応じて、撮影方向（光軸方向）を変化させる機構が設けられ、この機構を後述するＣＰＵ５１（ひいていは管理装置２４）が制御可能となっている。
またマイクスイッチ４８を押すと、マイク４９が効くようになり、音声入力によってコーヒーの注文等が可能となっている。
【００３０】
図４（ａ）に戻り、硬貨返却口３５は投入した硬貨の返却するもの、球誘導樋部材３６は球貸ユニット３１から遊技機の上皿の方へ貸球や貯留玉を誘導するもの、会員カード挿入口３７は会員カードを受け入れるものである。
なお、遊技機の他に、例えばメダルを用いたスロットマシン（回胴式スロット遊技機）や球を用いたスロットマシン（回胴式スロット遊技機）を設置した島にあっては、球貸ユニットとして、そのような遊技機に対応した遊技媒体を貸す出す装置を使用することになる。何れにしても、台毎に会員カードによって遊技者を特定可能なものにする。
また、球貸ユニット３１に会員カードが挿入されなくても、遊技機による遊技は可能である。その場合は、会員として特定できないだけで、非会員による遊技となる。
【００３１】
次に、図４（ｂ）は球貸ユニット３１の制御系等を示すブロック図である。球貸ユニット３１はＣＰＵ５１、ＲＯＭ５２、ＲＡＭ５３、入出力インターフェース５４を備え、これらはマイクロコンピュータを用いて実現されている。ＲＯＭ５２は球貸ユニット３１の動作に必要なプログラムやデータを記憶しており、ＲＡＭ５３は一時的なデータの記憶に用いられる。
また、その他に球貸ユニット３１は、硬貨識別装置５５、カード読み取り装置５６、前述したマイクスイッチ４８、液晶表示装置４１、タッチパネル４２、スクロールスイッチ４３、メニュースイッチ４４、データスイッチ４５、再プレイスイッチ４６を備えている。
【００３２】
入出力インターフェース５４には、マイクスイッチ４８、タッチパネル４２、スクロールスイッチ４３、メニュースイッチ４４、データスイッチ４５、再プレイスイッチ４６及びカード読み取り装置５６からの信号が入力され、各入力信号を信号処理して必要な物理情報をＣＰＵ５１やＲＯＭ５２に転送し、入出力インターフェース５４からは液晶表示装置４１に信号を出力する。また、入出力インターフェース５４は硬貨識別装置５５からの信号を入力されているとともに、ＣＰＵ５１からの指令に基づき硬貨識別装置５５に制御信号を出力する。
硬貨識別装置５５は、硬貨投入口３２から投入された硬貨の真偽を識別し、偽物の場合は投入された硬貨を返却するような制御を行う。
カード読み取り装置５６は、会員カード挿入口３７から受け入れた会員カードの情報を読み取るもので、例えば会員の氏名、会員番号、ポンイト、遊技履歴などの情報を読み取る。
【００３３】
その他に、入出力インターフェース５４には遊技機２（島１には多数の遊技機２ａ、２ｂ、…………、２ｎが配置されているが、ここでは符号２で遊技機を代表することにする。また、後述のフローチャートを含む動作説明でも、適宜、符号２で遊技機を代表する。）、供給球検出装置５７、アウト球検出装置５８からの信号が入力されているとともに、会員管理装置１２及び営業管理装置１１との間で信号やデータの授受を行うようになっている。
遊技機２は遊技状態情報を出力して入出力インターフェース５４に入力するようになっており、遊技状態情報としては、例えば大当り中信号、確率変動信号（以下、確変中信号と略すことがある）、始動入賞信号などがある。また、供給球検出装置５７は島１から遊技機２の上タンク（供給タンク）に対して球を供給する装置であり、例えば球２５個の供給に対して１パルスの信号（供給信号）を出力する。
アウト球検出装置５８は遊技機２から島１にアウト球（排出球）として回収される球を検出するもので、例えば１個のアウト球に対して１パルスの信号（打ち込み信号）を出力するが、２５個のアウト球に対して１パルスの信号を出力するものでもよい。なお、アウト球検出装置５８は島に配置されている。アウト球を検出することにより、遊技機２への打ち込みがあると判断できるため、前述したようにアウト球検出信号は打ち込み信号（つまり遊技者が台に球を打ち込んで遊技している状態に対応する信号）としての機能を有している。
【００３４】
また、球貸ユニット３１はカード読み取り装置５６で読み取った会員カードの情報から会員／非会員信号を会員管理装置１２や営業管理装置１１に出力する。
ここで、球貸ユニット３１は本発明の遊技用装置を構成し、表示手段（前述の通り）、読取手段、会員情報出力手段の機能を実現する。各手段は、次のような機能を含む。
読取手段は、会員の遊技者を個々に特定可能な会員識別情報を読み取る。
会員情報出力手段は、読取手段により読み取った会員情報を外部に出力可能である。
なお、会員識別情報の読み取りはいろいろな形態がある。例えば、典型的には会員用記録媒体（会員カード）に記録されるようなことが行われ、その場合はカードの記録を読み取ることになるが、このような形態に限るものではない。
会員用記録媒体は、カード型記録媒体である会員カードだけでなく、コイン型の記録媒体でもよい。また、ＩＣ、光ホログラフィーを使用した情報媒体でもよい。
更には、会員の遊技者を個々に特定可能な会員識別情報としては、例えば遊技者本人の指紋や静脈を認証する場合も含まれる。遊技者本人の指紋や静脈を認証する構成にする場合は、予め本人の指紋や静脈を登録しておいて、本人の指紋や静脈のデータを会員識別情報として使用するというシステムにする。
【００３５】
Ａ５．会員管理装置
次に図６（ａ）は、会員管理装置１２を示すブロック図であり、会員管理装置１２はコンピュータ６１、モニタ６２、プリンタ６３、キーボード６４を含んで構成される。
コンピュータ６１は、ＣＰＵ６５、ＲＯＭ６６、ＲＡＭ６７、入出力インターフェース６８、ハードディスク（ＨＤＤ）６９を備えている。ＲＯＭ６６は会員管理の処理に必要なプログラムやデータを記憶しており、ＲＡＭ６７は一時的なデータの記憶に用いられる。ハードディスク６９は図６（ｂ）に示すように会員データベース７１、遊技履歴データベース７２、不審遊技者データベース７３を記憶する領域を備える他、会員登録プログラム７４、会員抹消プログラム７５、ポイント加算プログラム７６、ポイント減算プログラム７７、遊技履歴管理プログラム７８などを格納している。不審遊技者データベース７３は不正嫌疑者の動画データや画像（静止画像）或いは遊技データ（遊技情報）などを不正嫌疑者ファイル（後述する）として記憶している。
【００３６】
入出力インターフェース６８は、モニタ６２、プリンタ６３、キーボード６４、営業管理装置１１、会員管理装置２１、監視カメラ制御装置１３との間で双方向で信号やデータの転送を行う。モニタ６２は例えば液晶装置からなり、会員管理に必要な情報などを画面に表示する。プリンタ６３は会員管理に必要な情報などを印刷し、キーボード６４はユーザ用の入力装置である。
【００３７】
Ａ６．遊技機
次に図７は、遊技機２の正面図である。遊技機２は前面枠８１がこの前面枠８１の裏面側に配された機枠（本体枠：図示略）に対して開閉自在に取付けられ、遊技領域が形成された遊技盤８２は、前面枠８１の上側に取付けられている。また、前面枠８１には、その前面上側を覆うようにガラス枠８３が開閉自在に取付けられ、ガラス枠８３により保持されるガラス板（図示略：透明のプラスチックボードでもよい）を介して遊技盤８２の遊技領域１０２が視認可能となっている。
ガラス枠８３の下側には、開閉パネル８４が配置され、前面枠８１に対して開閉自在に取付けられている。さらに、開閉パネル８４の下側には、操作パネル８５が前面枠８１に対して通常は固定状態に設けられている。
遊技盤８２の前面には、球を上方から落下させつつアウトあるいはセーフの判定（入賞したか否かの判定）を行う領域（つまり遊技領域）が形成され、入賞口に遊技球が入って有効にセーフとなる場合は、所定数の遊技球が開閉パネル８４に設けられた上皿８６に排出される（即ち、賞球として排出される）構成となっている。
【００３８】
ガラス枠８３の下部には、球貸ユニット３１から貸球の排出を行うための球貸スイッチ８７と、球貸ユニット３１からカードの排出を行うためのカード返却スイッチ８８とが配設されている。
また、開閉パネル８４に設けられた上皿８６は、賞球として又は貸球として排出された発射前の遊技球を一時保持し、これら遊技球を前面枠８１の裏面下側に設けられた発射装置（図示省略）への球送り装置（図示省略）に順次供給するもので、この上皿８６には、上皿８６の遊技球を下皿８９に移す玉通路開閉用の上皿球抜きレバー９０が設けられている。
操作パネル８５には、灰皿９１と、下皿８９と、下皿８９に貯留された球を外部下方に抜くための下皿球抜きレバー９２と、前記発射装置の操作を行う発射操作ハンドル９３とが設けられている。
また、図７において上皿８６の前面側に設けられる符号９４、ガラス枠８３の左右両側に備えられる符号１１５，１１６は、効果音を出力するスピーカである。
【００３９】
次に、遊技盤８２について説明する。
遊技盤８２の前面には、略円形領域がガイドレール１０１で囲まれることにより遊技領域１０２が形成されている。遊技領域１０２は識別情報（以下、場合により特図という）を複数の変動表示領域毎に変動表示するための表示画面を有する画像表示装置１０３（図柄表示装置、図柄可変表示装置、あるいは特図表示装置などとも呼ばれるもの）と、開閉扉により開閉される大入賞口を有する変動入賞装置１０４と、左右一対の開閉部材を有し特図始動口（特図の変動表示の始動条件となる入賞口）として機能する普通変動入賞装置１０５と、この場合大入賞口の下側に設けられ普通図柄（以下、場合により普図という）を表示する普図表示器（普通図柄表示器）１０６と、スルーチャッカー形式の普図始動口（普図の変動表示の始動条件となる入賞口）１０７ａ、１０７ｂと、一般入賞口１０８〜１１１と、風車と呼ばれる打球方向変換部材１１３、１１４と、アウト穴（図示略）と、が備えられている。
【００４０】
また、画像表示装置１０３の上部には４個の特図始動記憶表示器１１７が設けられ、変動入賞装置１０４の両側には４個の普図始動記憶表示器１１８が設けられている。
そして、普通変動入賞装置１０５内の入賞流路には特図始動センサ１２１が、普図始動口１０７ａ、１０７ｂ内の通過流路には普図始動センサ１２２ａ、１２２ｂ（図８に示す、以下図７に示されていないものは同様）が、それぞれ設けられている。また、変動入賞装置１０４の大入賞口内にはカウントセンサ１２３が設けられている。各一般入賞口１０８〜１１２には、それぞれ、入賞口センサ１２４ａ〜１２４ｄ（図５では１２４ｃ、１２４ｄのみ示す）が設けられている。
なお、遊技盤１０２に一般入賞口がｎ個ある場合には、入賞口センサはｎ個配置される。
ここで、画像表示装置１０３は、カラーで静止画及び動画が表示可能な、例えば液晶ディスプレイ（ＬＣＤ）であり、ＣＲＴであってもよい。
普図表示器１０６は左右に分れた２つの表示器（例えば、ＬＥＤ）からなり、例えば左側表示器が点灯すると普図大当り、右側表示器が点灯すると普図の外れとなるように変動する。
【００４１】
また、特図始動記憶表示器１１７或いは普図始動記憶表示器１１８は、特図或いは普図の始動記憶の数を表示するものである。
また、特図始動センサ１２１は、普通変動入賞装置１０５に入賞した遊技球を１個ずつ検出し、普図始動センサ１２２ａ、１２２ｂは普図始動口１０７ａ、１０７ｂを通過する遊技球をそれぞれ１個ずつ検出し、カウントセンサ１２３は変動入賞装置１０４の大入賞口に入った遊技球を１個ずつ検出する。また、入賞口センサ１２４ａ〜１２４ｄは、各一般入賞口１０８〜１１１に入賞した遊技球を１個ずつ検出するものである。
なお、遊技盤８２の遊技領域１０２には、通常天釘やヨロイ釘といった多数の障害釘が設けられるが、ここでは繁雑になるので図示省略している。また、同様に図示省略しているが、遊技盤８２には、その他の各種装飾ランプや、ＬＥＤ等が設けられていてもよい。
また本発明では、遊技盤８２における遊技領域はどのようなものでもよく、任意の構成を取り得る。パチンコ機以外の遊技機であってもよい。なお、本例ではいわゆる「第１種」に属するパチンコ機に適用した例を説明する。
【００４２】
次に、遊技機２の制御系の構成について説明する。
図８は、遊技機２の制御系を示す図である。この制御系は、大きく分けて、遊技制御装置１３０と、演出制御装置１３１や排出制御装置１３２を初めとするその他の周辺装置等によって構成される。
ここで、遊技制御装置１３０は、マイクロコンピュータ（以下、場合によりマイコンという）を含む回路で、例えば遊技盤８２の裏面に取付けられた役物制御ユニット（図示略）により実現されている。また、排出制御装置１３２は、例えば遊技機２の枠側に設けられた排出制御ユニット（図示略）によって実現されている。
図８において、遊技制御装置１３０はパチンコ遊技等に必要な役物制御を行うワンチップマイコンからなる遊技用マイクロコンピュータ１４０と、水晶の発振周波数を分周して所定のクロックを得るクロック生成回路（ＣＬＫ）としての発振器１４１と、各種信号の入力を行う入力インターフェース１４２と、各種信号の出力を行う出力インターフェース１４３とを含んで構成される。
【００４３】
遊技用マイクロコンピュータ１４０は、ＣＰＵ１４４、ＲＯＭ１４５、ＲＡＭ１４６を内蔵しており、いわゆるアミューズチップ用のＩＣとして製造されている。
ここで、ＲＡＭ１４６には、賞球データ（例えば、１０個賞球、１５個賞球というデータ）を格納するエリアや、電源遮断時の遊技状態を再開するためのバックアップデータ（全レジスタやスタックポインタ等のデータ）を格納するエリアが設けられている。
入力インターフェース１４２には、前述した特図始動センサ１２１、普図始動センサ１２２ａ、１２２ｂ、カウントセンサ１２３、入賞口センサ１２４ａ〜１２４ｄからの検出信号が入力される。
【００４４】
一方、出力インターフェース１４３からは、前述の演出制御装置１３１、排出制御装置１３２、普図表示器１０６、普通変動入賞装置１０５を駆動する普電ソレノイド１５１、変動入賞装置１０４の開閉扉を駆動する大入賞口ソレノイド１５２、盤用外部出力部１５３に信号が出力される。
ここで、盤用外部出力部１５３は、遊技盤側に設けられた外部情報端子であり、ここから球貸ユニット３１に遊技状態情報としての各種信号（例えば、大当り信号等）を出力し、球貸ユニット３１を経由して外部の営業管理装置１１及び会員管理装置１２に遊技状態情報が出力されることになる。
なお、遊技制御装置１３０及び盤用外部出力部１５３は、遊技に関連して発生した遊技情報を外部に出力可能な本発明の遊技情報出力手段の機能を実現する。
排出制御装置１３２は遊技盤８２に設けられた特図始動センサ１２１、入賞口センサ１２４ａ〜１２４ｄ、カウントセンサ１２３により遊技球の入賞が検出されると、入賞口の入賞価値に対応して予め設定された賞球数の情報（賞球データ）が遊技制御装置１３０から送信されてくるので、この情報に基づき排出装置を制御して賞球データに応じた賞球を排出する制御を行う。
【００４５】
演出制御装置１３１は遊技盤８２上の各種装飾ランプや各種ＬＥＤを点灯あるいは点滅させる装飾制御を行う。
なお、本例の場合、図示省略した電源ユニット（各制御装置やソレノイド等に所定電力を供給する回路基板よりなるユニット）には、遊技制御装置１３０のＲＡＭ１４６にバックアップ電源を供給するバックアップ電源が備えられており、バックアップ電源は排出制御装置１３２のＲＡＭ（図示省略）にもバックアップ電源を供給している。そして、上記バックアップ電源の働きによって遊技制御装置１３０のＲＡＭ１４６と排出制御装置１３２のＲＡＭは、電源遮断時（停電時含む）でも、所定のバックアップ保証期間の間はその全データが記憶保持可能となっている。
【００４６】
なお、遊技機２は遊技盤８２の遊技領域に発射した球を検出する発射球検出手段を備えており、その発射球検出手段からの発射球検出信号は遊技機２の枠用外部出力基板（図示略）を介して球貸ユニット３１を経て会員管理装置１１へと出力してもよい。
また、排出制御装置１３２が発射制御を行い、遊技者が発射ハンドルに触れて操作していることを検出する発射操作検出手段を備えており、その発射操作検出手段からの発射操作検出信号は発射操作検出手段から遊技機２の枠用外部出力基板を介して球貸ユニット３１を経て会員管理装置１１へと出力してもよい。
【００４７】
Ｂ．遊技を行う手順
次に、遊技用システムの制御フローを説明する前に、遊技店で遊技を行う手順の概要について説明する。
遊技店２００での遊技は会員でなくても可能であり、球貸ユニット３１から球を購入すれば遊技はできる。
ただし、近時は会員を募って各種の情報を提供したり、貯留玉での遊技を会員カードで可能にしたりなど特典のある会員カードが増えている。
会員になるには、先ず遊技者は、自己の住所、氏名等を記入した申込用紙を遊技店に提出すると共に、自らの身分を証明する運転免許証、学生証を見せる、遊技店の店員はそれらの身分証明書と申込用紙に記載された内容の確認を行い、正しければ、会員登録装置２１にそれらのデータを入力し、それらのデータに基づき、会員カードを発行する。これにより、会員カードには遊技者を個々に特定可能な会員識別情報が記録される。会員カードには、この他に各種の遊技情報や貯留玉のポイントなどが記録されるようになっている。そして、会員カードを使用して遊技をすると、遊技終了時に端数の獲得球を貯留することもできるようになる。
【００４８】
遊技機２の動作概略は次の通りである。
ガイドレール１０１を介して遊技領域１０２中に打込まれた遊技球が、特図の始動口（チャッカー）である普通変動入賞装置口１０５に入賞すると（即ち、始動入賞があると）、画像表示装置１０３の表示画面の複数の変動表示領域において多数の特図（数字、文字、記号、模様等よりなるもの）が変動（例えば、スクロール）する表示（いわゆる変動表示）が行われて、変動表示ゲームが行われる。
また、上記特図の変動表示ゲーム中に、普通変動入賞装置口１０５にさらに遊技球が入賞したときには、上限数（４個）を限度として始動記憶が行われるとともに特図始動記憶表示器１１７に始動記憶数に応じて点灯し、変動表示ゲームが終了した後に、その記憶（即ち、始動記憶）に基づいて上記特図の変動表示ゲームが繰り返されたり、客待ち状態に戻ったりする。
そして、この変動表示ゲーム結果（停止した特図の組合せ）が特定の結果態様（例えば、「７、７、７」などのゾロ目）であれば、大当りと呼ばれる特典が遊技者に付与される。また、いわゆる確率変動の制御によって大当りの確率が高確率に設定されていると、通常よりも大当りとなる確率が増加する。
【００４９】
大当りになると、変動入賞装置１０４の開閉扉が、規定時間（例えば、３０秒）を越えない範囲内において、例えば１０個入賞までの期間だけ一時的に開放される開放動作が行われる。一方、遊技中に、遊技球が普図始動口１０７ａ、１０７ｂに入賞（通過）したときは、普図表示器１０６の普図の変動表示による普図の変動表示ゲームが行われる。そして、この変動表示ゲーム結果（停止した普図）が当たりであれば、普図当りと呼ばれる遊技価値（特典）が付与される。
この普図当りになると、普通変動入賞装置１０５の一対の開閉部材が逆ハの字に開いた開放状態に、例えば０．５秒程度保持される遊技が行われる。これにより、普通変動入賞装置１０５に遊技球が入賞し易くなり、その分、特図の変動表示ゲームの実施回数が増えて大当りになる可能性が増す。
また、上記普図の変動表示ゲーム中に、普図始動口１０７ａ、１０７ｂにさらに遊技球が入賞したときには、普図始動記憶表示器１１８が点灯してこの場合４個まで記憶され、普図の変動表示ゲームの終了後に、その記憶に基づいて上記普図の変動表示ゲームが繰り返される。
【００５０】
会員が遊技をしようとする場合、球貸ユニット３１の会員カード挿入口３７に会員カードを投入する。カード読み取り装置５６が投入された会員カードの情報（例えば、氏名、会員番号、ポンイト、遊技履歴など）を読み取り、球貸ユニット３１を経由して会員管理装置１１及び監視カメラ制御装置１３（全体として管理装置２４）に、読み取った情報が送信される。
また、遊技者は球貸ユニット３１から球を購入して遊技を開始する。このとき、遊技機２からは遊技状態情報が出力されて管理装置２４に送信され、管理装置２４では球貸ユニット３１及び遊技機２からの情報に基づき遊技をしているのは会員か非会員かを判断し、非会員遊技機が複数連続して非会員遊技機群を形成していることを検出したら、監視カメラ５を非会員遊技機群の遊技機周辺を監視するように制御するとともに、この監視画像を記憶する。そして、監視モニタ２３で監視している店員が、この監視画像を見て不正行為を防止する処置をしたり、不正行為が起きた場合には速やかな対応をとるようになる。
【００５１】
また、非会員遊技機群が検出されると、管理装置２４は、非会員遊技機群を構成する各遊技機の球貸ユニット３１にメッセージを送り、メッセージを開くか開かないかの操作を、それら遊技者に実行させ、その操作の際にＣＣＤカメラ４７によってそれら遊技者を撮影し、その画像を記憶する。そして、それら遊技機のうちの何れかで不正行為が行われた可能性があるか否か判定し、不正行為の可能性があれば、上記ＣＣＤカメラ４７による画像データを含む不正嫌疑者ファイルを非会員遊技機群の各遊技者について作成し、登録する。これにより、次回この不正嫌疑者ファイルに該当する遊技者が来店した時には、入店をお断りする、或いは集中的に監視して不正を未然防止することができる。
また、非会員遊技機群で不正行為の可能性が判定されると、管理装置２４は、店内監視カメラ（店内監視カメラ５ａ〜５ｉの何れか）又はＣＣＤカメラ４７を駆動して該当する非会員遊技機の付近を撮影し、該撮影範囲内の撮影対象人物（不正を行った可能性の高い者；即ち、不正嫌疑者）を画像処理によって特定する。そして、この不正嫌疑者として特定された遊技者が移動した場合には、店内監視カメラ及び店外監視カメラ（出入り口監視第１カメラ２５、出入り口監視第２カメラ２６、駐車場監視カメラ２７）を駆動することにより当該撮影対象人物を追尾する。そして、追尾した遊技者の自動車のナンバープレートを前記店外監視カメラにより撮影する制御を実行する。また、こうしてナンバープレートが撮影されると、該当する不正嫌疑者ファイルのデータにこの自動車のナンバーに関する情報を追加する制御を実行する。
【００５２】
Ｃ．システムの制御処理や動作
次に、管理装置２４を含む制御系により行われる店内の監視制御について、図９〜図１２に示す図面を参照して説明する。
（イ）非会員注意処理
図９は、管理装置２４（例えば、会員管理装置１２）で例えば周期的に行われる非会員注意処理を示すフローチャートである。
このフローが開始されると、まずステップＳ１で打ち込み信号と会員／非会員信号を全台について確認する処理を行う。打ち込み信号としては、遊技機２への打ち込みがあると判断可能なアウト球検出信号を使用する。また、会員／非会員信号としては、球貸ユニット３１のカード読み取り装置５６で読み取った会員カードの情報（会員情報）に基づいて生成されるものを使用する。これらの各信号を各台全てについて読み取れば、遊技者が各台で実際に遊技をしているか否か、及び会員であるか非会員であるかを判断することができる。
【００５３】
次いで、ステップＳ２で複数台（例えば、２台以上、或いは３台以上など）連続して非会員が遊技中であるか否かを判別する。これは、各島毎に判別する。複数台連続して非会員が遊技中でなければ、不正行為の可能性がないと判断してリターンする。一方、何れかの島で複数台連続して非会員が遊技中であれ、不正行為の可能性があると判断してステップＳ３に進む。
なお、ここで非会員が複数台連続して遊技している場合に、それぞれの遊技機の遊技を開始したタイミングを記憶しておき、該記憶したタイミングを比較して、そのタイミングが所定時間内（例えば、３０秒以内）に収まれば、優先的にその非会員遊技機群を監視するような制御にしてもよい。非会員遊技機群の各遊技機の遊技者が所定時間内に遊技を開始していれば、それらの遊技機の遊技者が仲間同士である可能性が高いと推定する。このような形態は、グループとして不正行為を行う可能性が高いと判断することができ、よって、優先的に監視することで、不正監視や不正嫌疑者ファイル作成を速やかに、より効果的に行うことができる。
【００５４】
ステップＳ３では、非会員遊技機群の各球貸しユニット３１にメッセージを送信する。このメッセージを受信した球貸しユニット３１は、報知ランプ３８を点滅させるとともに、例えば図１２（ａ）に示すような表示（「開く」と「開かない」のタッチパネル用アイコンを含む表示）を、表示モニタ３４の表示装置４１で実行し、このメッセージ（メール）を開くか開かないかを遊技者に選択するように促す。そして、タッチパネル４２において、「開く」に対応する部分が押されると、例えば遊技店のキャンペーン表示を表示モニタ３４の表示装置４１で実行し、「開かない」に対応する部分が押されると、表示を終了するか初期画面に戻す。本例では、タッチパネル４２のこのような機能が、メッセージを開封するか否かを遊技者が選択する本発明の選択手段を構成している。
【００５５】
次いでステップＳ４では、上記「開く」又は「開かない」のタッチパネル操作があったとき（タッチパネルのボタンオン時）に、対応する球貸ユニット３１のＣＣＤカメラ４７によって、遊技者の画像（静止画でもよいし、所定時間の動画でもよい）を撮影する制御を実行し、その後のステップＳ５でこの画像を例えば監視カメラ制御装置１３に記憶する制御を行う。タッチパネル操作をする時、遊技者の顔は、表示モニタ３４の正面（即ち、ＣＣＤカメラ４７の正面）にあるので、これにより、非会員遊技機群で遊技する遊技者の顔を含む画像（例えば、図１２（ｂ）に例示するもの）が得られる。
次にステップＳ６では、マイクスイッチ４８がオンされた状態（即ち、マイク４９が効いている状態）に所定時間だけ制御し、次いでステップＳ７で、マイク４９から所定時間入力される音声を録音する。これにより、非会員遊技機群で遊技する遊技者の声が録音できる可能性が高い。なお、遊技者の音声の録音は、別個の制御処理によって、マイクスイッチ４８が遊技者の操作によってオンされた時にも行うようにしてもよい。
【００５６】
ステップＳ７を経ると、ステップＳ８に進み、非会員遊技機群の何れかの遊技機２（一つの遊技機でもよい）において不正行為が行われた可能性があるか否かを判定する。この判定は、非会員遊技機群の各遊技機２の遊技情報出力手段（連続非会員情報収集手段）から出力された遊技情報に基づいて行われる。具体的には、例えば、大当たり回数が０回であるにもかかわらず、差球が所定数（例えば、４０００個）を超えている、確率変動状態でもないのに１時間に大当たりが７回発生した、ガラス枠８３或いは前面枠８１が開放されたことが検出されたなどの、予め設定されている判定条件が何れかの遊技機で成立していると、不正行為が行われた可能性があると判定する。なお、差球とは、島から遊技機２に供給される球数と、遊技機２から島に排出される球数との差であり、遊技者が獲得した球数である。
そしてステップＳ８の判定の結果、不正行為が行われた可能性があると判定されるとステップＳ９に進み、ないと判定されるとリターンする。
【００５７】
次にステップＳ９では、不正嫌疑者ファイルを非会員遊技機群の各遊技者について作成し、前述のＨＤＤ６９の不審遊技者データベース７３（図６）のデータとして登録する。
この不正嫌疑者ファイルは、ステップＳ２の判定で非会員遊技機群と判定され、かつステップＳ８の判定で何れかの遊技機で不正が行われている可能性があると判定された非会員遊技機群で遊技をしている各遊技者について作成されるファイルで、各遊技者毎（各遊技機毎）に例えば次のデータを含む。即ち、ステップＳ４〜Ｓ５で得られた画像データ（静止画又は動画）、ステップＳ６〜Ｓ７等で得られた音声データ、店内監視カメラ或いは店外監視カメラにより撮影された画像データ（静止画又は動画）、該当の遊技機や遊技用装置（球貸ユニット３１）から出力された差球や投資金額等の遊技情報、及び後述するカーナンバーの情報が、この不正嫌疑者ファイルのデータとして登録される。なお、画像データは、例えば監視カメラ制御装置１３に一時記憶されていたものが、このステップＳ９で、会員管理装置１２のＨＤＤ６９に不正嫌疑者ファイル内のデータとして登録される。
なお、不正嫌疑者ファイルのデータは、例えば図１２（ｃ）に例示するように、管理装置２４側のモニタ（例えばモニタ６２の画面６２ａ）に表示可能となっている。なお、図１２（ｃ）における「音声」というアイコンは、そこをクリックすると前記音声データが再生されるものである。
【００５８】
ステップＳ９を経ると、ステップＳ１０に進み、不正嫌疑者ファイルのグルーピング処理を実行してリターンする。不正嫌疑者ファイルは、遊技者毎に作成されるものであるが、一つの非会員遊技機群を構成していた複数の遊技者については、このステップＳ１０において、それぞれの不正嫌疑者ファイルが対応付けられてグルーピングされる（つまり、ある遊技者とある遊技者が非会員遊技機群を構成していた実績があるという情報が、なんらかの形で記憶される）。
【００５９】
（ロ）会員非会員判定処理
次に図１０（ａ）は、球貸ユニット３１で例えば周期的に行われる会員非会員判定処理を示すフローチャートである。この処理は、前述のステップＳ１において管理装置２４で読み取られる情報（会員／非会員信号等）を、球貸ユニット３１で生成するためのものである。
このフローが開始されると、まずステップＳ１１で、遊技機２からの打ち込み信号（例えば、アウト球検出信号）を所定時間（例えば、３０秒）以上継続して受信したか否か判定し、肯定的であればステップＳ１２に進み、否定的であればリターンする。
そしてステップＳ１２では、会員カード挿入口３７からカード読み取り装置５６に正規の会員カードが挿入されているか判定し、挿入されていればステップＳ１３に進み、挿入されていなければステップＳ１４に進む。
ステップＳ１３では、前述のステップＳ１において管理装置で読み取られる情報として、会員が遊技中であることを示す会員遊技中データの出力を管理装置２４に対して行う。一方、ステップＳ１４では、前述のステップＳ１において管理装置で読み取られる情報として、非会員が遊技中であることを示す非会員遊技中データの出力を管理装置２４に対して行う。
なお、ステップＳ１３、Ｓ１４を経ると、リターンする。
【００６０】
（ハ）不正嫌疑者追尾処理
図１１は、管理装置２４（例えば、会員管理装置１２）で行われる不正嫌疑者追尾処理を示すフローチャートである。この処理は、例えば前述のステップＳ８（図９）で不正行為の可能性有りと判定されると、開始される。
このフローが開始されると、まずステップＳ２１で、前述のステップＳ８で不正行為有りと判定された遊技機の位置に居る遊技者を、不正嫌疑者として特定し、この者が居る遊技機付近を店内監視カメラ（店内監視カメラ５ａ〜５ｉの何れか）又はＣＣＤカメラ４７を駆動して撮影し、該撮影範囲内の撮影対象人物（即ち、不正嫌疑者）を画像処理によって画像データ上において特定する。
【００６１】
次いでステップＳ２２で、この不正嫌疑者として特定された遊技者が店内で移動した場合に、店内監視カメラを駆動することにより当該撮影対象人物を追尾する。なお、人物等をカメラによって追尾しつつ撮影する技術としては、前述の特許文献２等に記載された公知技術が利用できる。
次にステップＳ２３で、上記店内監視カメラによる追尾結果から、当該不正嫌疑者が、遊技店の出入り口２０１又は２０２のうちのどこから退場するか特定し、その後のステップＳ２４では、特定された遊技店の出入り口に駐車場監視カメラ２７を向け、さらに次のステップＳ２５で、遊技店から退場して駐車場内を移動する当該不正嫌疑者を、今度は駐車場監視カメラ２７を駆動することにより追尾する。
【００６２】
次にステップＳ２６で、駐車場監視カメラ２７の画像から、当該不正嫌疑者が乗り込んだ自動車（嫌疑者の車）を特定し（車の色や車高等によって特定し）、その後ステップＳ２７で、今度は特定した嫌疑者の車を駐車場監視カメラ２７により追尾する。
次にステップＳ２８で、上記駐車場監視カメラ２７による追尾結果から、当該不正嫌疑者の車が、駐車場の出入り口３０２又は３０３のうちのどこから退場するか特定し、特定された出入り口の店外監視カメラ（出入り口監視第１カメラ２５、又は出入り口監視第２カメラ２６）によって、嫌疑者の車のカーナンバープレートを撮影する制御を実行する。なお図１０（ｂ）は、この制御処理によって、嫌疑者の車３０４のカーナンバープレート３０５が撮影される状態を示す側面図である。また、各出入り口３０２又は３０３は、上記撮影が良好にできるように、予め明るく照明で照らしておくことが望ましい。
そしてステップＳ２９では、こうして撮影されたカーナンバープレートのデータを、該当する不正嫌疑者ファイルのデータとして追加する制御を実行し、その後リターンする。
【００６３】
以上説明した本実施の形態例では、非会員による遊技が複数連続して発生している非会員遊技機群の各遊技機に対応した遊技者が撮影手段により撮影され、またこの非会員遊技機群の遊技情報が収集され、この画像と遊技情報から不正嫌疑者ファイルが作成される（前記ステップＳ１〜Ｓ９参照）。
このため、不正を行なった可能性の高い遊技者を、効果的に特定して、その有用な情報を上記不正嫌疑者ファイルとして効率的に記録しておき、次回来店時に入店をお断りする、或いは次回来店時に格別の監視をして不正の再発を未然防止するといったことが可能となる。さらに、他の遊技店と不審な遊技者に関する情報交換の際にも、上記不正嫌疑者ファイルを利用することができて便利である。
【００６４】
特に本例では、非会員遊技機群の各遊技機から収集された遊技情報に基づき、不正行為が行われた可能性があると判断された場合に、前記不正嫌疑者ファイルが作成されるため（前記ステップＳ８参照）、不正嫌疑者ファイルに登録された者が不正を行った可能性が高まり、不正嫌疑者ファイルの信頼性が高まる。
また本例では、遊技用装置（球貸ユニット３１）における撮影手段（ＣＣＤカメラ４７）の正面側近くに遊技者が触れることによって、メッセージを開封するか否かを遊技者に選択させる選択手段（タッチパネル４２）を備え、前記選択手段による選択を行うために遊技者が撮影手段の正面側近くに触れたことをきっかけとして、前記撮影手段により遊技者の姿を撮影する（前記ステップＳ３、Ｓ４参照）。これにより、非会員遊技機群の各遊技機に対応した遊技者の撮影を、遊技者の正面から遊技者の顔を含んで行うことが高い可能性でできるようになる。このため、不正嫌疑者ファイルの画像データが、より有意義なものになる。
【００６５】
また本例では、非会員遊技機群を構成していた複数の遊技者についての不正嫌疑者ファイルがグルーピングされるため（前記ステップＳ１０参照）、そのグルーピングの情報から、再来店した不正嫌疑者を見つけ易くなる。一人だけの特徴であると、似ている人がいた場合に分かり難いが、グルーピングされた複数の不正嫌疑者のうちの少なくとも一人を見つけることは比較的容易であり、さらにその一人からグルーピングされた仲間の不正嫌疑者も来店していると推定して、残りの不正嫌疑者を発見することが容易になるからである。
また本例では、不正嫌疑者の自動車のナンバープレートの情報が、不正嫌疑者ファイルのデータとして、他の情報とともに登録される（前記ステップＳ２１〜Ｓ２９参照）。このため、警察への通報等が行い易くなるとともに、不正嫌疑者が店外に自動車で逃走しても追尾し易くなる。また、再来店時に、自動車で駐車場に入場した時点から警戒することができるようになる。
また本例では、前述したステップＳ６、Ｓ７等の処理によって、不正嫌疑者の音声も他の情報とともに不正嫌疑者ファイルのデータとして登録できる可能性が高まる。このため、例えば、この音声情報を利用して再来店した人物が同一人物であるか否かを信頼性高く判定することができる可能性が得られる。
【００６６】
本発明は上述した形態例に限られず、以下のような各種の変形や応用があり得る。
（ａ）複数の監視カメラの映像を複数の監視モニタに表示している場合には、複数の監視モニタに１つの監視カメラからの映像を映すようにしてもよい。そのようにすると、怪しい台の状況をより一層見やすく監視することができる。
（ｂ）各島の列（つまり島の片側列）毎に、連続非会員の検出を行い、その判定結果を管理装置で処理するようにしてもよい。このようにすると、島の列単位で緻密に怪しい行為を判定することができる。
（ｃ）会員の中でも、不正行為をした場合には履歴に残すようにして、次回は重点的な監視を行うようにしてもよい。
（ｄ）遊技情報によって不正行為の可能性を判定する処理（前記ステップＳ８）を削除し、非会員遊技機群で遊技している遊技者について全て不正嫌疑者ファイルを作成してもよい。
【００６７】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００６８】
【図１】遊技店の遊技用システム構成図である。
【図２】店外構成を示す図である。
【図３】店内構成を示す図である。
【図４】球貸ユニットを説明する図である。
【図５】球貸ユニットの表示モニタを示す図である。
【図６】会員管理装置を説明する図である。
【図７】遊技機の正面図である。
【図８】遊技機の制御系統を示す図である。
【図９】非会員注意処理を示すフローチャートである。
【図１０】（ａ）は会員非会員判定処理を示すフローチャート、（ｂ）はカーナンバープレートが撮影される状態を示す側面図である。
【図１１】不正嫌疑者追尾処理を示すフローチャートである。
【図１２】表示例や画像例を示す図である。
【符号の説明】
【００６９】
２、２ａ、２ｂ、２ｎ、４ａ、４ｂ、４ｎ  遊技機
５ａ〜５ｉ  店内監視カメラ
１１  営業管理装置
１２  会員管理装置
１３  監視カメラ制御装置
２４  管理装置（遊技判定手段、情報収集手段、非会員連続状態検出手段、連続非会員情報収集手段、連続非会員撮影手段、不正嫌疑者ファイル作成手段、メッセージ送信手段、撮影対象人物特定手段、撮影対象人物追尾手段、ナンバープレート撮影手段）
２５  出入り口監視第１カメラ（店外監視カメラ、撮影手段）
２６  出入り口監視第２カメラ（店外監視カメラ、撮影手段）
２７  駐車場監視カメラ（店外監視カメラ、撮影手段）
３１  球貸ユニット（遊技用装置、読取手段、会員情報出力手段）
３４  表示モニタ（表示手段、メッセージ着信報知手段）
３８  報知ランプ（メッセージ着信報知手段）
４２  タッチパネル（選択手段）
４７  ＣＣＤカメラ（撮影手段）
４９  マイク
１３０  遊技制御装置（遊技情報出力手段）
１５３  盤用外部出力部（遊技情報出力手段）
【図１】
2006141476.tif 000003
【図２】
2006141476.tif 000004
【図３】
2006141476.tif 000005
【図４】
2006141476.tif 000006
【図５】
2006141476.tif 000007
【図６】
2006141476.tif 000008
【図７】
2006141476.tif 000009
【図８】
2006141476.tif 000010
【図９】
2006141476.tif 000011
【図１０】
2006141476.tif 000012
【図１１】
2006141476.tif 000013
【図１２】
2006141476.tif 000014